(57)【要約】【課題】選択された候補に対して、他の設定項目において共に設定することが可能な候補を出力することができる画像処理装置、画像処理システム及び画像処理プログラムを提供する。【解決手段】画像処理システム１Ａは、原稿から読取画像データを生成するスキャナ２Ａ、動作設定に従って動作し、設定用紙を印刷するプリンタ３Ａ等からなる。スキャナ２Ａは、複数の設定項目に対して共に設定することが可能な候補の禁則情報２２１を記憶する情報記憶部２２、複数の設定項目のうち指定された設定項目に対応する複数の候補に対して１つの候補が選択されたとき、禁則情報２２１に基づいて、他の設定項目に対応し、共に設定することが可能な候補を判定結果情報として取得する禁則判定部２７、及び取得された候補を含む設定用画像データを生成する設定用紙画像生成部２８等を備える。【選択図】図１
2009218824.tif 000002
【特許請求の範囲】
【請求項１】
画像処理に関する複数の設定項目に対して共に設定することが可能な候補の組合せ情報を記憶する記憶手段と、
前記複数の設定項目のうち指定された設定項目に対応する複数の候補に対して１つの前記候補が選択されたとき、前記記憶手段に記憶された前記組合せ情報に基づいて、他の設定項目に対応し、共に設定することが可能な候補を取得する取得手段と、
前記他の設定項目及び前記取得手段により取得された前記候補を含む設定用印刷出力情報を生成する生成手段とを備えた画像処理装置。
【請求項２】
さらに、前記複数の設定項目のうち指定された複数の設定項目に対応する複数の候補に対して候補の組合せが選択されたとき、前記記憶手段に記憶された前記組合せ情報に基づいて、前記候補の組合せが共に設定することが可能な候補であるか否かを判定する判定手段を備え、
前記取得手段は、前記判定手段により前記候補の組合せが共に設定することが可能な候補ではないと判定されたとき、前記指定された複数の設定項目のうち所定の設定項目に対応する候補だけが選択されたものとして、他の設定項目に対応し、共に設定することが可能な候補を取得する請求項１に記載の画像処理装置。
【請求項３】
前記取得手段は、前記指定された複数の設定項目のうち各設定項目がそれぞれ選択されたものとして、他の設定項目に対応し、共に設定することが可能な候補をそれぞれ取得し、
前記生成手段は、前記取得手段によりそれぞれ取得された前記候補を含む前記設定用印刷出力情報を生成する請求項２に記載の画像処理装置。
【請求項４】
前記生成手段は、前記複数の設定項目からなる一覧に変化が生じたとき、前記一覧を構成する複数の設定項目及び前記複数の設定項目に対応する複数の候補を含む前記設定用印刷出力情報を生成する請求項１に記載の画像処理装置。
【請求項５】
前記生成手段は、前記記憶手段に記憶された前記組合せ情報に変化が生じたとき、前記変化後の前記組合せ情報に対応する複数の候補を含む前記設定用印刷出力情報を生成する請求項１に記載の画像処理装置。
【請求項６】
画像処理に関する複数の設定項目に対して共に設定することが可能な候補の組合せ情報を記憶する記憶手段と、
前記複数の設定項目のうち指定された設定項目に対応する複数の候補に対して１つの前記候補が選択されたとき、前記記憶手段に記憶された前記組合せ情報に基づいて、他の設定項目に対応し、共に設定することが可能な候補を取得する取得手段と、
前記他の設定項及び前記取得手段により取得された前記候補を含む設定用印刷出力情報を生成する生成手段と、
前記生成手段により生成された前記設定用印刷出力情報を記録媒体に印刷する印刷手段と、
前記記録媒体上に印刷された前記候補に対して選択された候補を示す選択候補情報を前記記録媒体から読み取る読取手段と、
前記読取手段により読み取られた前記選択候補情報に基づいて、前記画像処理に関する設定を行う設定手段とを備えた画像処理システム。
【請求項７】
前記読取手段は、前記記録媒体から読み取った前記選択候補情報を前記取得手段に提供する請求項６に記載の画像処理システム。
【請求項８】
複数の設定項目のうち指定された設定項目に対応する複数の候補に対して１つの前記候補が選択されたとき、画像処理に関する複数の設定項目に対して共に設定することが可能な候補の組合せ情報に基づいて、他の設定項目に対応し、共に設定することが可能な候補を取得する取得ステップと、
前記他の設定項目及び前記取得ステップにより取得された前記候補を含む設定用印刷出力情報を生成するステップ手段とをコンピュータに実行させるための画像処理プログラム。
【発明の詳細な説明】
【技術分野】
【０００１】
本発明は、画像処理装置、画像処理システム及び画像処理プログラムに関する。
【背景技術】
【０００２】
従来、画像処理装置の設定モードを変更するための設定用シートに記入された内容を読み取って、その記入内容に応じてモード設定を行う画像処理装置が提案されている（例えば、特許文献１参照。）。
【０００３】
この画像処理装置は、画像を読み取るスキャナによって設定モードに関する項目が印刷された設定用シートの画像を読み取り、この設定用シートに記入された内容に応じて自動的にモード設定を行う手段を備える。これにより、モード設定を行う際にパネル操作による入力操作を不要にすることができる。
【特許文献１】特開平５−１１２０６４号公報
【発明の開示】
【発明が解決しようとする課題】
【０００４】
本発明の目的は、選択された候補に対して、他の設定項目において共に設定することが可能な候補を出力することができる画像処理装置、画像処理システム及び画像処理プログラムを提供することにある。
【課題を解決するための手段】
【０００５】
本発明の一態様は、上記目的を達成するため、以下の画像処理装置、画像処理システム及び画像処理プログラムを提供する。
【０００６】
［１］画像処理に関する複数の設定項目に対して共に設定することが可能な候補の組合せ情報を記憶する記憶手段と、前記複数の設定項目のうち指定された設定項目に対応する複数の候補に対して１つの前記候補が選択されたとき、前記記憶手段に記憶された前記組合せ情報に基づいて、他の設定項目に対応し、共に設定することが可能な候補を取得する取得手段と、前記他の設定項目及び前記取得手段により取得された前記候補を含む設定用印刷出力情報を生成する生成手段とを備えた画像処理装置。
【０００７】
［２］さらに、前記複数の設定項目のうち指定された複数の設定項目に対応する複数の候補に対して候補の組合せが選択されたとき、前記記憶手段に記憶された前記組合せ情報に基づいて、前記候補の組合せが共に設定することが可能な候補であるか否かを判定する判定手段を備え、前記取得手段は、前記判定手段により前記候補の組合せが共に設定することが可能な候補ではないと判定されたとき、前記指定された複数の設定項目のうち所定の設定項目に対応する候補だけが選択されたものとして、他の設定項目に対応し、共に設定することが可能な候補を取得する前記［１］に記載の画像処理装置。
【０００８】
［３］前記取得手段は、前記指定された複数の設定項目のうち各設定項目がそれぞれ選択されたものとして、他の設定項目に対応し、共に設定することが可能な候補をそれぞれ取得し、前記生成手段は、前記取得手段によりそれぞれ取得された前記候補を含む前記設定用印刷出力情報を生成する前記［２］に記載の画像処理装置。
【０００９】
［４］前記生成手段は、前記複数の設定項目からなる一覧に変化が生じたとき、前記一覧を構成する複数の設定項目及び前記複数の設定項目に対応する複数の候補を含む前記設定用印刷出力情報を生成する前記［１］に記載の画像処理装置。
【００１０】
［５］前記生成手段は、前記記憶手段に記憶された前記組合せ情報に変化が生じたとき、前記変化後の前記組合せ情報に対応する複数の候補を含む前記設定用印刷出力情報を生成する前記［１］に記載の画像処理装置。
【００１１】
［６］画像処理に関する複数の設定項目に対して共に設定することが可能な候補の組合せ情報を記憶する記憶手段と、前記複数の設定項目のうち指定された設定項目に対応する複数の候補に対して１つの前記候補が選択されたとき、前記記憶手段に記憶された前記組合せ情報に基づいて、他の設定項目に対応し、共に設定することが可能な候補を取得する取得手段と、前記他の設定項及び前記取得手段により取得された前記候補を含む設定用印刷出力情報を生成する生成手段と、前記生成手段により生成された前記設定用印刷出力情報を記録媒体に印刷する印刷手段と、前記記録媒体上に印刷された前記候補に対して選択された候補を示す選択候補情報を前記記録媒体から読み取る読取手段と、前記読取手段により読み取られた前記選択候補情報に基づいて、前記画像処理に関する設定を行う設定手段とを備えた画像処理システム。
【００１２】
［７］前記読取手段は、前記記録媒体から読み取った前記選択候補情報を前記取得手段に提供する前記［６］に記載の画像処理システム。
【００１３】
［８］複数の設定項目のうち指定された設定項目に対応する複数の候補に対して１つの前記候補が選択されたとき、画像処理に関する複数の設定項目に対して共に設定することが可能な候補の組合せ情報に基づいて、他の設定項目に対応し、共に設定することが可能な候補を取得する取得ステップと、前記他の設定項目及び前記取得ステップにより取得された前記候補を含む設定用印刷出力情報を生成するステップ手段とをコンピュータに実行させるための画像処理プログラム。
【発明の効果】
【００１４】
請求項１に係る画像処理装置によれば、選択された候補に対して、他の設定項目において共に設定することが可能な候補を出力することができる。
【００１５】
請求項２に係る画像処理装置によれば、選択された候補の組合せが共に設定することができない候補の組合せであるとき、いずれかの候補に対して、他の設定項目において共に設定することが可能な候補を出力することができる。
【００１６】
請求項３に係る画像処理装置によれば、選択された候補の組合せが共に設定することができない候補の組合せであるとき、共に設定することが可能な候補の組合せを複数出力することができる。
【００１７】
請求項４に係る画像処理装置によれば、一覧の変化に応じて、設定用出力情報を出力することができる。
【００１８】
請求項５に係る画像処理装置によれば、組合せ情報の変化に応じて、設定用出力情報を出力することができる。
【００１９】
請求項６に係る画像処理システムによれば、選択された候補に対して、他の設定項目において共に設定することが可能な候補を記録媒体に出力し、その中から選択された候補により設定を行うことができる。
【００２０】
請求項７に係る画像処理システムによれば、記録媒体への設定用印刷出力情報の印刷と記録媒体上の選択候補の読取を繰り返し行うことができる。
【００２１】
請求項８に係る画像処理プログラムによれば、選択された候補に対して、他の設定項目において共に設定することが可能な候補を出力することができる。
【発明を実施するための最良の形態】
【００２２】
［第１の実施の形態］
図１は、本発明の第１の実施の形態に係る画像処理システムの概略構成の一例を示す全体図である。この画像処理システム１Ａは、原稿を光学的に読み取って読取画像データを生成するスキャナ２Ａと、動作設定に従って動作するとともに各種データ及び設定用紙を印刷するプリンタ３Ａと、プリンタ３Ａに対して印刷対象のデータを送信する端末４と、スキャナ２Ａ、プリンタ３Ａ及び端末４を相互に接続するネットワーク５とから構成されている。
【００２３】
端末４は、例えば、コンピュータ、携帯情報端末（ＰＤＡ）、携帯電話等により構成されている。また、図１では、スキャナ２Ａ、プリンタ３Ａ及び端末４はそれぞれ１台であるが、２台以上でもよい。
【００２４】
ネットワーク５は、有線通信及び無線通信等によりデータの送受信を行うＬＡＮ（ローカルエリアネットワーク）、インターネット等の通信網である。
【００２５】
ここで、「動作設定」とは、プリンタ３Ａにおける動作や機能を定める設定項目毎に、各設定項目に対応する複数の候補の中から選択された設定値により設定される。なお、設定値は、複数の候補の中から選択される他に、数値等により上限若しくは下限の値、又は範囲を指定されるものでもよい。
【００２６】
また、「設定用紙」とは、上記の動作設定をプリンタ３Ａに指示するための情報が記録された記録媒体である。なお、本実施の形態では、設定用紙は、記録媒体として紙に印刷されるものであるが、設定用紙に印刷される情報と同等の情報を、例えば、電子メール等の通信手段を介して表示画面上に表示可能な情報として出力してもよいし、フラッシュメモリや光ディスク等の外部記録メディアに記憶可能な情報として出力するようにしてもよい。
【００２７】
（スキャナ）
キャナ２Ａは、操作表示部２０、制御部２１、情報記憶部２２、読取部２３、画像記憶部２４、スキャナ通信部２５、設定情報抽出部２６、禁則判定部２７及び設定用紙画像生成部２８を具備して構成されている。
【００２８】
操作表示部２０は、ユーザインターフェースとして動作するもので、例えば、タッチパネルディスプレイや、スタートキー等のハードキーを備える。操作表示部２０は、制御部２１から表示情報を受け取り、ユーザに対して各種の情報を提供する他、ユーザによる操作を受け付け、制御部２１に操作情報を送る。
【００２９】
制御部２１は、例えば、ＣＰＵ等により構成され、操作表示部２０からの操作情報に基づいて、読取部２３に対して原稿及び設定用紙の読取指示を送るとともに、設定用紙画像生成部２８に対して設定用紙画像データの生成指示を送る。また、制御部２１は、操作表示部２０に表示情報を送る。
【００３０】
情報記憶部２２は、例えば、ＲＡＭ、ハードディスク等により構成され、候補情報２２０及び禁則情報（組合せ情報）２２１等の情報が記憶されている。
【００３１】
図２（ａ）は、候補情報２２０の一例を示す図である。候補情報２２０には、設定項目毎に、設定項目の設定値となり得る複数の候補が記憶されている。
【００３２】
図２（ｂ）は、禁則情報２２１の一例を示す図である。この禁則情報２２１には、複数の設定項目の間で、共に設定することが禁止されている候補の組み合わせである選択禁止組合せ２２４と、共に設定することが可能な候補の組み合わせである選択可能組合せ２２５とが記憶されている。例えば、２つの設定項目２２２Ａ，２２２Ｂに対応する複数の候補２２３Ａ，２２３Ｂの間では、設定項目「ジョブ履歴情報」の候補「記録しない」と、設定項目「自動ジョブ履歴印刷」の候補「印刷する」との組合せが選択禁止組合せ２２４に該当し、その他の組み合わせは、選択可能組合せ２２５に該当する。
【００３３】
読取部２３は、制御部２１からの読取指示に基づき、原稿をイメージセンサ等により光学的に読み取って得た光学信号を電気信号に変換し、読取画像データを生成する。生成した読取画像データは、画像記憶部２４に記憶される。
【００３４】
画像記憶部２４は、情報記憶部２２と同様に、例えば、ＲＡＭ、ハードディスク等により構成され、読取部２３により生成された読取画像データを一時的に記憶するとともに、スキャナ通信部２５や設定情報抽出部２６に対して、その記憶した読取画像データを提供する。なお、画像記憶部２４は、情報記憶部２２と合わせて１つの記憶部でもよい。
【００３５】
スキャナ通信部２５は、ネットワーク５とのインターフェースとして、例えば、ネットワークインタフェースカードにより実現され、画像記憶部２４、設定情報抽出部２６及び設定用紙画像生成部２８から受け取った情報をネットワーク５上の送信先に送信する。
【００３６】
設定情報抽出部２６は、画像記憶部２４に記憶された読取画像データに対して所定の文字、マーク等のパターンを認識する認識処理を行うことにより、設定用紙においてユーザにより各設定項目に対して選択された選択候補を示す選択候補情報と、候補が選択されていない設定項目である未選択項目を示す未選択項目情報とを取得して、それら取得した選択候補情報及び未選択項目情報を含む設定情報を抽出する。その抽出した設定情報は、禁則判定部２７に渡される。
【００３７】
ここで、認識処理は、例えば、読取画像データにおいて予め定められた領域のパターンを切り出し、そのパターンに含まれる文字、マーク等と認識辞書とを、例えばパターンマッチング法により比較して、最も類似性の高いものを認識結果とするものである。
【００３８】
また、設定情報抽出部２６は、禁則判定部２７から後述の判定結果情報を受け取り、その判定結果情報が選択禁止組合せが検出されなかった旨を示す場合には、抽出した設定情報をスキャナ通信部２５に送る。一方、設定情報抽出部２６は、選択禁止組合せが検出された旨を示す場合には、判定結果情報から選択可能候補を取得して、その取得した選択可能候補とともに、一部確定済みの設定用紙画像データ（設定用印刷出力情報）の生成指示を設定用紙画像生成部２８に送る。
【００３９】
禁則判定部２７は、設定情報抽出部２６により抽出された設定情報を受け取り、その設定情報に含まれる選択候補情報が、所定の設定項目に対応する１つの候補が選択された旨を示すとき、禁則情報２２１に基づいて、その選択候補と、未選択項目情報が示す未選択項目に対応する複数の候補の各々とが選択禁止組合せであるか否かを判定する未選択項目の禁則判定処理を行う。
【００４０】
また、禁則判定部２７は、その設定情報に含まれる選択候補情報が、複数の設定項目に対応する複数の候補が選択された旨を示すとき、禁則情報２２１に基づいて、その選択候補の組合せが選択禁止組合せであるか否かを判定する選択候補間の禁則判定処理を行う。
【００４１】
そして、禁則判定部２７は、上記の２つの禁則判定処理による結果を判定結果情報として設定情報抽出部２６に送る。この判定結果情報には、未選択項目の禁則判定処理において、未選択項目に対応する複数の候補のうち、所定の設定項目に対応して選択候補と共に設定することが可能な候補と判定された選択可能候補が含まれる。
【００４２】
また、判定結果情報には、選択候補間の禁則判定処理において、禁則判定部２７がその選択候補の組合せが選択禁止組合せであると判定した場合には、複数の設定項目のうち所定の設定項目に対応する候補だけが選択されたと確定し、他の設定項目に対応し、共に設定することが可能な候補と判定された選択可能候補が含まれる。
【００４３】
設定用紙画像生成部２８は、制御部２１から設定用紙画像データの生成指示を受け取ると、候補情報２２０から取得した設定項目毎の候補を所定の領域にそれぞれ配置した設定用紙画像データを生成する。また、設定用紙画像生成部２８は、設定情報抽出部２６から一部確定済みの設定用紙画像データの生成指示を受け取ると、ユーザによる選択候補によって確定された設定値と、生成指示とともに受け取った選択可能候補とを所定の領域にそれぞれ配置した一部確定済みの設定用紙画像データを生成する。そして、設定用紙画像生成部２８は、生成した設定用紙画像データをスキャナ通信部２５に送る。
【００４４】
（プリンタ）
プリンタ３Ａは、操作表示部３０、制御部３１、プリンタ通信部３２、画像処理部３３、印刷部３４、設定情報取得部３５及び設定部３６を具備して構成されている。
【００４５】
操作表示部３０は、ユーザインターフェースとして動作するもので、例えば、タッチパネルディスプレイや、スタートキー等のハードキーを備える。操作表示部３０は、制御部３１から印刷処理中のメッセージ表示等の表示情報を受け取り、各種の情報を提供するとともに、ユーザによる印刷処理の中断等の操作を受け付け、制御部３１に操作情報を送る。
【００４６】
制御部３１は、ＣＰＵ等により構成され、プリンタ通信部３２がスキャナから受信した受信データの解析を行い、その受信データが読取画像データ又は設定用紙画像データであれば、データの送り先を画像処理部３３に変更すべくプリンタ通信部３２に指示を出し、受信データが設定情報であれば、データの送り先を設定情報取得部３５に変更すべくプリンタ通信部３２に指示を出す。また、制御部３１は、操作表示部３０に表示情報を提供し、操作表示部３０から操作情報を受け取る。
【００４７】
プリンタ通信部３２は、ネットワーク５とのインターフェースとして、例えば、ネットワークインタフェースカードにより実現され、ネットワーク５に接続されたスキャナ２Ａとの間でデータの送受信を行う。プリンタ通信部３２は、データの受信を開始すると、制御部３１にその受信データを渡し、制御部３１から受け付けたデータの送り先の変更指示に基づき、その受信データを画像処理部３３及び設定情報取得部３５のいずれかに送る。
【００４８】
画像処理部３３は、プリンタ通信部３２から入力された画像データを、例えば、ラスタ形式のイメージデータに変換し、その変換したイメージデータを印刷部３４に送る。
【００４９】
印刷部３４は、例えば、電子写真方式、インクジェット方式、感熱転写方式等の各種の方式を用いることができ、画像処理部３３から受け取ったイメージデータに基づいて、用紙上に画像を印刷する。
【００５０】
設定情報取得部３５は、プリンタ通信部３２から取得した設定情報を設定部３６に送る。
【００５１】
設定部３６は、設定情報取得部３５から送られた設定情報に基づいて設定を行う。すなわち、その設定情報が、プリンタ３Ａの各部の動作に反映されるように、プリンタ３Ａの各部にその設定情報を通知する。なお、設定情報は、例えば、プリンタ３Ａが有する記憶部（図示せず）に記憶され、プリンタ３Ａの各部が、その記憶部に記憶された設定情報を参照するようにしてもよい。
【００５２】
（第１の実施の形態の動作）
本発明の第１の実施の形態に係る画像処理システム１Ａの動作の一例を図３〜図６を参照して説明する。
【００５３】
（１）設定用紙の印刷動作
まず、スキャナ２Ａに対するユーザの操作に基づいて、プリンタ３Ａが設定用紙を印刷する印刷動作について図５のフローチャートに従って説明する。
【００５４】
スキャナ２Ａの操作表示部２０は、ユーザによる設定用紙の出力操作を検出すると（Ｓ１）、その旨を示す出力操作情報が、制御部２１に通知される。そして、制御部２１は、その出力操作情報を受け取ると、設定用紙画像データの生成指示を設定用紙画像生成部２８に送る。
【００５５】
そして、設定用紙画像生成部２８は、その生成指示を受け取ると、候補情報２２０に基づいて設定用紙画像データを生成する（Ｓ２）。
【００５６】
次に、その生成された設定用紙画像データは、スキャナ通信部２５を介してプリンタ３Ａに送信される（Ｓ３）。そして、プリンタ３Ａのプリンタ通信部３２は、スキャナ２Ａから送信された設定用紙画像データを受信し、制御部３１が、その受信データを設定用紙画像データと判定した場合には、画像処理部３３は、設定用紙画像データからイメージデータに変換し、印刷部３４により設定用紙を印刷する（Ｓ４）。
【００５７】
図３（ａ）は、印刷された設定用紙の一例を示す図である。この設定用紙１０には、３つの設定項目１００Ａ〜１００Ｃと、各設定項目１００Ａ〜１００Ｃにそれぞれ対応する複数の候補１０１Ａ〜１０１Ｃとが印刷され、候補１０１Ａ〜１０１Ｃには、チェックマークを記入するためのチェックボックス１０２がそれぞれ設けられている。また、候補１０１Ａ〜１０１Ｃの中で選択禁止組合せが存在する場合には、その旨を警告メッセージ等とともに示す禁止候補マーク１０３が印刷される。なお、この禁止候補マーク１０３は、図２（ｂ）の禁則情報２２１に基づいて印刷されたものである。
【００５８】
そして、ユーザが、設定項目「自動ジョブ履歴印刷」１００Ｃに対して候補「印刷する」を選択する場合には、図３（ｂ）の記入済み設定用紙１１Ａに例示するように、チェックボックス１０２にチェックマーク１１０を記入する。また、ユーザが、設定項目「ジョブ履歴記録」１００Ｂに対して候補「記録しない」を選択し、設定項目「自動ジョブ履歴印刷」１００Ｃに対して候補「印刷する」を選択する場合には、図４（ａ）の記入済み設定用紙１１Ｂに例示するように、２つのチェックマーク１１０Ａ，１１０Ｂを記入する。
【００５９】
（２）記入済み設定用紙の読取動作
次に、スキャナ２Ａによる記入済み設定用紙１１Ａの読取動作について図６のフローチャートに従って説明する。ユーザが、原稿又は記入済み設定用紙１１Ａをスキャナ２Ａの原稿台等にセットし、操作表示部２０を介して読取操作を指示すると、制御部２１は、その読取操作が記入済み設定用紙読取操作であるか否かを判定する（Ｓ１０１）。
【００６０】
そして、制御部２１が、記入済み設定用紙読取操作ではない、例えば、プリンタ３Ａによるコピー対象の原稿の読取操作と判定した場合には（Ｓ１０１：Ｎｏ）、読取部２３によりその原稿を読み取って、読取画像データを生成する（Ｓ１３０）。そして、その読取画像データは、画像記憶部２４に記憶され、スキャナ通信部２５を介してプリンタ３Ａに送信される（Ｓ１４０）。
【００６１】
一方、制御部２１が、記入済み設定用紙読取操作であると判断した場合には（Ｓ１０１：Ｙｅｓ）、読取部２３は、記入済み設定用紙１１Ａに基づく読取画像データを生成し、その読取画像データは画像記憶部２４に記憶される。次に、設定情報抽出部２６は、その読取画像データに対して認識処理を行い、設定情報を抽出する（Ｓ１０２）。
【００６２】
次に、ステップＳ１０２において設定情報抽出部２６により設定情報が抽出されなかった、例えば、その読み取り画像データが設定用紙から生成されたものではない場合には（Ｓ１０３：Ｎｏ）、操作表示部２０にその旨を示すエラーメッセージ等を表示して終了する（Ｓ１０４）。
【００６３】
一方、設定情報が抽出された場合には（Ｓ１０３：Ｙｅｓ）、禁則判定部２７は、その設定情報に基づいて、未選択項目の禁則判定処理を行う。（Ｓ１０５）。すなわち、禁則判定部２７は、記入済み設定用紙に対してチェックマーク１１０が記入された設定項目の候補と、チェックマーク１１０が記入されていない未選択項目に対応する複数の候補の各々との間で選択禁止組合せが存在するか否かを禁則情報２２１に基づいて判定する。
【００６４】
次に、禁則判定部２７は、選択候補間の禁則判定処理を行う（Ｓ１０６）。すなわち、記入済み設定用紙に対して複数のチェックマーク１１０が記入された場合に、そのチェックマーク１１０が記入された選択候補の組合せが選択禁止組合せであるか否かを禁則情報２２１に基づいて判定する。
【００６５】
その結果、禁則判定部２７が、上記の未選択項目の禁則判定処理（Ｓ１０５）において未選択項目に選択禁止組合せが存在すると判定した場合、又は選択候補間の禁則判定処理（Ｓ１０６）において選択候補の組合せが選択禁止組合せであると判定した場合には（Ｓ１０７：Ｙｅｓ）、設定用紙画像生成部２８は、一部確定済みの設定用紙画像データを生成する（Ｓ１２０）。
【００６６】
具体的には、未選択項目に選択禁止組合せが存在する場合には、未選択項目に対応する複数の候補のうち、チェックマーク１１０が記入された設定項目の候補と共に設定することが可能な選択可能候補を取得し、判定結果情報として設定情報抽出部２６に送る。
【００６７】
そして、設定情報抽出部２６は、その判定結果情報とともに一部確定済みの設定用紙画像データの生成指示を設定用紙画像生成部２８に送る。設定用紙画像生成部２８は、その生成指示を受け取ると、チェックマーク１１０が記入された設定項目の候補を設定値として確定し、さらに判定結果情報に含まれる選択可能候補を配置した一部確定済みの設定用紙画像データを生成する。
【００６８】
また、選択候補の組合せが選択禁止組合せである場合には、チェックマーク１０１が記入された複数の設定項目のうちいずれかの設定項目に対応する候補を設定値と確定し、他の設定項目に対応する複数の候補のうち、その確定した候補と共に設定することが可能な選択可能候補を取得し、判定結果情報として設定情報抽出部２６に送る。なお、選択可能候補は、チェックマーク１０１が記入された複数の候補の各々を設定値として確定した場合について取得する。
【００６９】
そして、設定情報抽出部２６は、上記と同様に、その判定結果情報とともに一部確定済みの設定用紙画像データの生成指示を設定用紙画像生成部２８に送る。設定用紙画像生成部２８は、その生成指示を受け取ると、チェックマーク１１０が記入された設定項目の候補の各々を設定値として確定し、さらに判定結果情報に含まれる選択可能候補を配置した一部確定済みの設定用紙画像データを複数生成する。なお、未選択項目に選択禁止組合せが存在し、かつ選択候補の組合せが選択禁止組合せである場合には、上記の一部確定済みの設定用紙画像データを生成する際の2つの処理を両方とも行う。
【００７０】
次に、設定用紙画像生成部２８は、上記のようにして生成した画像データをスキャナ通信部２５を介してプリンタ３Ａに送信する（Ｓ１４０）。
【００７１】
一方、禁則判定部２７が、未選択項目に選択禁止組合せが存在せず、かつ選択候補の組合せが選択禁止組合せではないと判定した場合には（Ｓ１０７：Ｎｏ）、その設定情報は、スキャナ通信部２５を介してプリンタ３Ａに送信される（Ｓ１１０）。
【００７２】
（３）受信データに基づくプリンタの設定動作
次に、スキャナ２Ａからの受信データに基づくプリンタ３Ａの設定動作について図７のフローチャートに従って説明する。プリンタ３Ａがスキャナ２Ａから受信する受信データとしては、上記のように設定情報、設定用紙画像データ及び読取画像データの３種類が存在する。
【００７３】
まず、プリンタ３Ａのプリンタ通信部３２は、スキャナ２Ａからデータを受信すると、制御部３１は、その受信データの種類を判別する（Ｓ２０１）。
【００７４】
そして、判別した結果、その受信データが設定情報である場合には（Ｓ２０１：設定情報）、その受信データとしての設定情報は、設定情報取得部３５を介して設定部３６に送られ、設定部３６は、その設定情報に基づいてプリンタ３Ａの設定を行う（Ｓ２１０）。
【００７５】
また、その受信データが設定用紙画像データである場合には（Ｓ２０１：設定用紙画像データ）、その設定用紙画像データは、画像処理部３３を介して印刷部３４に送られ、印刷部３４は、その設定用紙画像データに基づいて一部確定済み設定用紙を印刷する（Ｓ２２０）。なお、設定用紙画像データを複数受信した場合には、印刷部３４は、複数の一部確定済み設定用紙を印刷する。
【００７６】
また、その受信データが読取画像データである場合には（Ｓ２０１：読取画像データ）、その読取画像データは、画像処理部３３を介して印刷部３４に送られ、印刷部３４は、その読取画像データに基づいて、スキャナ２Ａにより読み取られた原稿と同一内容の原稿を印刷する（Ｓ２３０）。
【００７７】
図３（ｃ）は、図３（ｂ）の記入済み設定用紙１１Ａが読み取られた際に、未選択項目に選択禁止組合せが存在すると判定された場合に印刷される一部確定済み設定用紙の一例を示す図である。図３（ｂ）の記入済み設定用紙１１Ａでは、設定項目「自動ジョブ履歴印刷」１００Ｃの候補「印刷する」に対してチェックマーク１１０が記入されているため、この一部確定済み設定用紙１２Ａでは、設定項目「自動ジョブ履歴」１００Ｃの候補「印刷する」が確定された設定値１２０として印刷されている。
【００７８】
また、未選択項目である設定項目「ジョブ履歴記録」１００Ｂの候補１２１としては、その設定値１２０との間で選択可能候補と判定された候補「エラーのみ」、「全て記録する」が印刷されており、選択禁止組合せとなる候補「記録しない」は印刷されていない。
【００７９】
図４（ｂ１）及び（ｂ２）は、図４（ａ）の記入済み設定用紙１１Ｂが読み取られた際に、選択候補の組合せが選択禁止組合せであると判定された場合に印刷される一部確定済み設定用紙の一例を示す図である。
【００８０】
図４（ａ）の記入済み設定用紙１１Ｂにおいて、２つのチェックマーク１１０が記入された候補は選択禁止組合せであるため、図４（ｂ１）に例示する第１の一部確定済み設定用紙１２Ｂ−１では、記入された２つのチェックマーク１１０Ａ，１１０Ｂのうち、チェックマーク１１０Ａに対応する設定項目「ジョブ履歴記録」１００Ｂの候補「記録しない」が確定された設定値１２０Ａとして印刷され、設定項目「自動ジョブ履歴印刷」１００Ｃの候補１２１Ａには、その設定値１２０Ａとの間で選択可能候補と判定された候補「印刷しない」が印刷されている。
【００８１】
また、図４（ｂ２）に例示する第２の一部確定済み設定用紙１２Ｂ−２では、他方のチェックマーク１１０Ｂに対応する設定項目「自動ジョブ履歴印刷」１００Ｃの候補「印刷する」が確定された設定値１２０Ｂとして印刷され、設定項目「ジョブ履歴記録」１００Ｂの候補１２１Ｂには、その設定値１２０Ｂとの間で選択可能候補と判定された２つの候補「エラーのみ」「全て記録する」が印刷されている。なお、図４（ｂ１）及び（ｂ２）の例では、第１及び第２の一部確定済み設定用紙１２Ｂ−１，１２Ｂ−２は別の紙に印刷されたものであるが、第１及び第２の一部確定済み設定用紙１２Ｂ−１，１２Ｂ−２に印刷された内容を同一の用紙に印刷するようにしてもよい。
【００８２】
以上のようにして、一部確定済み設定用紙が印刷された場合には、ユーザは、その一部確定済み設定用紙に対してチェックマークを記入し、読取操作を行うと、上記と同様に、スキャナ２Ａは読取動作を行う。そして、スキャナ２Ａが、その読取動作において選択禁止組合せを検出しなかった場合には、プリンタ３Ａは設定動作を行い、選択禁止組合せを検出した場合には、プリンタ３Ａは、再び一部確定済み設定用紙を印刷する。
【００８３】
［第２の実施の形態］
図８は、本発明の第１の実施の形態に係る画像処理システムの概略構成の一例を示す全体図である。この画像処理システム１Ｂは、第１の実施の形態と比較して、禁則判定処理を行い、その判定結果情報に基づいて設定用紙画像データを生成する機能が、スキャナではなくプリンタ３Ｂに備えられている点において異なり、その他の構成は第１の実施の形態と同様である。
【００８４】
スキャナ２Ｂは、第１の実施の形態と同様の操作表示部２０、制御部２１、情報記憶部２２、読取部２３、画像記憶部２４、スキャナ通信部２５及び設定情報抽出部２６を具備して構成されている。
【００８５】
プリンタ３Ｂは、操作表示部３０、制御部３１、プリンタ通信部３２、画像処理部３３、印刷部３４、設定情報取得部３５及び設定部３６の他に、記憶部３７、禁則判定部３８及び設定用紙画像生成部３９を具備して構成されている。
【００８６】
記憶部３７は、例えば、ＲＡＭ、ハードディスク等により構成され、第１の実施の形態と同様の候補情報３７０及び禁則情報３７１等の情報が記憶されている。
【００８７】
禁則判定部３８及び設定用紙画像生成部３９は、第１の実施の形態における禁則判定部２７及び設定用紙画像生成部２８と同等の機能を有し、禁則判定部３８による判定結果情報は、設定情報取得部３５に送られ、設定用紙画像生成部２８により生成される設定用紙画像データは、印刷部３４に送られる。
【００８８】
（第２の実施の形態の動作）
本発明の第２の実施の形態に係る画像処理システム１Ｂの動作の一例を図９〜図１４を参照して説明する。
【００８９】
（１）設定用紙の印刷動作
まず、設定用紙の印刷動作について図１２のフローチャートに従って説明する。スキャナ２Ｂの操作表示部２０が、ユーザによる設定用紙の出力操作を検出すると（Ｓ１１）、その旨を示す出力操作情報が制御部２１に通知され、制御部２１は、設定用紙の出力指示をスキャナ通信部２５を介してプリンタ３Ｂに送信する（Ｓ１２）。
【００９０】
次に、プリンタ３Ｂの制御部３１が、その出力指示をプリンタ通信部３２を介して受信すると、設定用紙画像データの生成指示を設定用紙画像生成部３９に送り、設定用紙画像生成部３９は、その生成指示を受け取ると、候補情報３７０を参照し、設定用紙画像データを生成する（Ｓ１３）。そして、その生成された設定用紙画像データは、印刷部３４に送られ、設定用紙が印刷される（Ｓ１４）。
【００９１】
（２）記入済み設定用紙に対する読取動作
次に、記入済み設定用紙に対する読取動作について図１３のフローチャートに従って説明する。スキャナ２Ｂの制御部２１は、ユーザによる読取操作を受け付けると、その読取操作が記入済み設定用紙読取操作であるか否かを判定し（Ｓ３０１）、記入済み設定用紙読取操作ではない場合には（Ｓ３０１：Ｎｏ）、読取部２３が読取画像データを生成し（Ｓ３３０）、その読取画像データはプリンタ３Ｂに送信される（Ｓ３４０）。
【００９２】
上記ステップＳ３０１において、その読取操作が記入済み設定用紙読取操作である場合には（Ｓ３０１：Ｙｅｓ）、読取部２３は、記入済み設定用紙１１Ａに基づく読取画像データを生成し、設定情報抽出部２６は、その読取画像データから設定情報を抽出する（Ｓ３０２）。そして、設定情報抽出部２６により設定情報が抽出されなかった場合には（Ｓ３０３：Ｎｏ）、エラー終了する（Ｓ３０４）。
【００９３】
一方、読取画像データから設定情報が抽出された場合には（Ｓ３０３：Ｙｅｓ）、その設定情報が、スキャナ通信部２５を介してプリンタ３Ｂに送信される（Ｓ３１０）。
【００９４】
（３）受信データに基づくプリンタの設定動作
次に、スキャナ２Ｂからの受信データに基づくプリンタ３Ｂの設定動作を図１４のフローチャートに従って説明する。プリンタ３Ｂのプリンタ通信部３２は、スキャナ２Ｂからデータを受信すると、制御部３１は、その受信データが読取画像データであるか否かを判定する（Ｓ４０１）。そして、その受信データが読取画像データである場合には（Ｓ４０１：Ｙｅｓ）、その読取画像データは、画像処理部３３を介して印刷部３４に送られ、印刷部３４は、スキャナ２Ｂにより読み取られた原稿と同一内容の原稿を印刷する（Ｓ４３０）。
【００９５】
また、その受信データが設定情報である場合には（Ｓ４０１：Ｎｏ）、その設定情報は、設定情報取得部３５を介して禁則判定部３８に送られる。そして、禁則判定部３８は、その設定情報に対して未選択項目の禁則判定処理（Ｓ４０２）と、選択候補間の禁則判定処理（Ｓ４０３）とを順次行い、それらの処理のいずれかにおいて選択禁止組合せが検出された場合には（Ｓ４０４：Ｙｅｓ）、設定用紙画像生成部３９は、一部確定済みの設定用紙画像データを生成し（Ｓ４２０）、印刷部３４は、その設定用紙画像データに基づいて、一部確定済みの設定用紙を印刷する（Ｓ４２１）。
【００９６】
一方、選択禁止組合せが存在しなかった場合には（Ｓ４０４：Ｎｏ）、その設定情報は、設定情報取得部３５を介して設定部３６に送られ、設定部３６は、その設定情報に基づいてプリンタ３Ｂの設定を行う（Ｓ４１０）。
【００９７】
図９（ａ）は、記入済み設定用紙の一例を示す図である。この記入済み設定用紙１１Ｃは、４つの設定項目１００Ａ〜１００Ｄと、それらに対応する候補１０１Ａ〜１０１Ｄと、３つの設定項目１００Ｂ〜１００Ｄにおいて選択禁止組合せが存在する旨を示す禁止候補マーク１０３とが印刷されており、設定項目「用紙タイプ」の候補「厚紙」にチェックマーク１１０が記入されたものである。
【００９８】
ここでの選択禁止組合せは、３つの設定項目の間で存在し、例えば、設定項目「用紙タイプ」の候補「厚紙」と設定項目「両面印刷」の候補「する」との第１の組み合わせ、設定項目「用紙タイプ」の候補「ＯＨＰ」と設定項目「用紙トレイ」の候補「トレイ１」又は「トレイ２」との第２の組み合わせ、及び設定項目「用紙タイプ」の候補「ＯＨＰ」と設定項目「両面印刷」の候補「する」との第３の組み合わせとして以下に説明する。
【００９９】
図９（ｂ）は、図９（ａ）の記入済み設定用紙１１Ｃがスキャナ２Ｂにより読み取られた際に上記ステップＳ４２１により印刷される一部確定済み設定用紙の一例を示す図である。この一部確定済み設定用紙１２Ｃには、チェックマーク１１０が記入された設定項目「用紙タイプ」の候補「厚紙」が確定された設定値が印刷されている。また、設定項目「両面印刷」の候補１２１としては、第１の組み合わせに該当する候補「する」は含まれず、候補「しない」だけに絞られるため、その候補「しない」が確定された設定値１２０Ｂとして印刷されている。なお、その他の選択禁止組合せは存在しないため、禁止候補マーク１０３は印刷されていない。
【０１００】
図１０（ａ）に例示する記入済み設定用紙１１Ｄでは、設定項目「用紙トレイ」の候補「トレイ１」にチェックマーク１１０が記入されている。この記入済み設定用紙１１Ｄが読み取られた際には、図１０（ｂ）に例示する一部確定済み設定用紙１２Ｄが印刷される。
【０１０１】
一部確定済み設定用紙１２Ｄには、設定項目「用紙トレイ」の候補「トレイ１」が確定された設定値１２０として印刷され、設定項目「用紙タイプ」の候補１２１としては、第２の組み合わせに該当する設定項目「用紙タイプ」の候補「ＯＨＰ」を除いた候補「普通」、「厚紙」が印刷されている。また、一部確定済み設定用紙１２Ｄでは、第１の組み合わせに該当する選択禁止組合せが含まれているため、禁止候補マーク１０３が印刷されている。
【０１０２】
また、図１１Ａ（ａ）に例示する記入済み設定用紙１１Ｅでは、設定項目「用紙タイプ」の候補「ＯＨＰ」と、設定項目「用紙トレイ」の候補「トレイ１」とに対して２つのチェックマーク１１０Ａ，１１０Ｂがそれぞれ記入されている。この記入済み設定用紙１１Ｅが読み取られた際には、図１１Ｂ（ｂ１）及び（ｂ２）に例示する第１及び第２の一部確定済み設定用紙１２Ｅ−１，１２Ｅ−２が印刷される。
【０１０３】
第１の一部確定済み設定用紙１２Ｅ−１には、記入された２つのチェックマーク１１０Ａ，１１０Ｂのうち、設定項目「用紙タイプ」の候補「ＯＨＰ」が確定された設定値１２０Ａとして印刷され、第２の組み合わせに該当する設定項目「用紙トレイ」の候補「トレイ１」、「トレイ２」と、第３の組み合わせに該当する設定項目「両面印刷」の候補「する」とが候補から除かれるため、設定項目「用紙トレイ」及び設定項目「両面印刷」に対する候補は、それぞれ「手差し」と「しない」の１つであるため、それらが確定された設定値１２０Ｂ，１２０Ｃとして印刷されている。
【０１０４】
第２の一部確定済み設定用紙１２Ｅ−２には、記入された２つのチェックマーク１１０Ａ，１１０Ｂのうち、設定項目「用紙トレイ」の候補「トレイ１」が確定された設定値１２０として印刷され、その他は、図１０（ｂ）の一部確定済み設定用紙１２Ｄと同様であるため、説明を省略する。
【０１０５】
以上のようにして、３つの設定項目の間で選択禁止組合せが存在する場合でも、第１の実施の形態と同様に、一部確定済み設定用紙が印刷され、ユーザは、その一部確定済み設定用紙を用いてその後の読取操作を行う。
【０１０６】
［第３の実施の形態］
図１５は、本発明の第３の実施の形態に係る画像処理システムの概略構成の一例を示す全体図である。この画像処理システム１Ｃは、第１の実施の形態と比較して、スキャナ２Ｃが各種のリクエストを送信するＷＷＷクライアント２９を備え、プリンタ３ＣがＷＷＷクライアント２９からのリクエストに応じてレスポンスを返信するＷＷＷサーバ３００を備える点において異なり、その他の構成は第１の実施の形態と同様である。
【０１０７】
スキャナ２Ｃは、第１の実施の形態と同様の操作表示部２０、制御部２１、読取部２３、画像記憶部２４、スキャナ通信部２５及び設定情報抽出部２６、禁則判定部２７及び設定用紙画像生成部２８の他に、ＷＷＷクライアント２９を具備して構成されている。
【０１０８】
ＷＷＷクライアント２９は、制御部２１からの設定用紙画像データの生成指示や、設定情報抽出部２６からの設定情報に基づいて、ネットワーク５上のWWWサーバにスキャナ通信部２５を介してリクエストを送信し、その返信としてレスポンスを受信する。そして、ＷＷＷクライアント２９は、その受信したレスポンスに応じて、制御部２１にエラーに関する情報を送り、設定用紙画像生成部２８にフォーム情報を送る。
【０１０９】
図１６は、フォーム情報の一例を示す図である。このフォーム情報１３は、指定されたＵＲＬ等に応じてＷＷＷクライアント２９により作成された、例えば、ウェブブラウザ上で表示可能な画面情報であり、設定項目１３０Ａ〜１３０Ｃに対応する複数の候補の中から特定の候補を選択可能なチェックボックス、リストボックス及びラジオボタン等の選択入力部に関する情報が含まれている。
【０１１０】
また、フォーム情報１３には、複数の設定項目の間で選択禁止組合せが存在する場合には、禁則情報２２１と同等の情報が、例えば、複数の選択入力部の間で無効化（グレーアウト）する条件等を示す無効化情報として記録されている。このようなフォーム情報は、例えば、ＨＴＭＬ（Hyper Text Markup Language）、ＸＭＬ（Extensible Markup Language）等のマークアップ言語、及びＪＡＶＡ（登録商標）スクリプト等のスクリプト言語で記述されている。
【０１１１】
プリンタ３Ｃは、第１の実施の形態と同様の操作表示部３０、制御部３１、プリンタ通信部３２、画像処理部３３、印刷部３４、設定情報取得部３５及び設定部３６の他に、記憶部３７及びＷＷＷサーバ３００を具備して構成されている。記憶部３７には、第１の実施の形態と同様の候補情報３７０及び禁則情報３７１等の情報が記憶されている。
【０１１２】
ＷＷＷサーバ３００は、プリンタ通信部３２を介してリクエストを取得し、その取得したリクエストに応じて、候補情報３７０及び禁則情報３７１を参照してフォーム情報を作成し、そのフォーム情報をレスポンスとして返信する。また、ＷＷＷサーバ３００は、その取得したリクエストに基づいて、設定部３６に設定情報を送る。
【０１１３】
（第３の実施の形態の動作）
本発明の第３の実施の形態に係る画像処理システム１Ｃの動作の一例を図１７〜図２１を参照して説明する。
【０１１４】
（１）設定用紙の印刷動作
まず、設定用紙の印刷動作について図１９のフローチャートに従って説明する。スキャナ２Ｃの操作表示部２０が、設定用紙の出力操作を検出すると（Ｓ２１）、その旨を示す出力操作情報が制御部２１を介してＷＷＷクライアント２９に通知され、ＷＷＷクライアント２９は、設定用紙のフォーム情報を要求するフォーム情報クエストをスキャナ通信部２５を介してプリンタ３Ｃに送信する（Ｓ２２）。
【０１１５】
次に、プリンタ３ＣのＷＷＷサーバ３００が、そのフォーム情報リクエストをプリンタ通信部３２を介して受信すると、候補情報３７０及び禁則情報３７１に基づいてフォーム情報を作成し、そのフォーム情報をレスポンスとしてスキャナ２Ｃに送信する（Ｓ２３）。
【０１１６】
次に、スキャナ２ＣのＷＷＷクライアント２９は、そのレスポンスを受信すると、そのレスポンスに含まれるフォーム情報を設定用紙画像生成部３９に送り、設定用紙画像生成部３９は、そのフォーム情報に基づいて設定用紙画像データを生成する（Ｓ２４）。
【０１１７】
そして、その生成された設定用紙画像データは、スキャナ通信部２５を介してプリンタ３Ｃに送信され（Ｓ２５）、プリンタ３Ｃの画像処理部３３は、プリンタ通信部３２を介してその設定用紙画像データを受信し、印刷部３４により設定用紙が印刷される（Ｓ２６）。
【０１１８】
図１７は、フォーム情報に基づいて印刷された設定用紙の一例を示す図である。この設定用紙１４Ａには、４つの設定項目１００Ａ〜１００Ｄと、チェックボックス１０２とともに各設定項目１００Ａ〜１００Ｄにそれぞれ対応する複数の候補１０１Ａ〜１０１Ｄと、設定項目１００Ａ，１００Ｂの間で選択禁止組合せが存在する旨を示す禁止候補マーク１０３とが印刷されている。
【０１１９】
（２）記入済み設定用紙の読取動作
次に、記入済み設定用紙に対する読取動作について図２０のフローチャートに従って説明する。スキャナ２Ｃの制御部２１は、ユーザによる読取操作を受け付けると、その読取操作が記入済み設定用紙読取操作であるか否かを判定し（Ｓ５０１）、記入済み設定用紙読取操作ではない場合には（Ｓ５０１：Ｎｏ）、読取部２３が読取画像データを生成し（Ｓ５３０）、その読取画像データはプリンタ３Ｃに送信される（Ｓ５４０）。
【０１２０】
上記ステップＳ４０１において、その読取操作が記入済み設定用紙読取操作である場合には（Ｓ５０１：Ｙｅｓ）、設定情報抽出部２６は、読取部２３により生成された読取画像データから設定情報を抽出し（Ｓ５０２）、設定情報が抽出されなかった場合には（Ｓ５０３：Ｎｏ）、エラー終了する（Ｓ５０４）。
【０１２１】
一方、読取画像データから設定情報が抽出された場合には（Ｓ５０３：Ｙｅｓ）、ＷＷＷクライアント２９は、設定用紙の印刷処理の際と同様にして、フォーム情報リクエストをプリンタ３Ｃに送信し、そのレスポンスとしてフォーム情報を取得する（Ｓ５０５）。
【０１２２】
次に、設定情報抽出部２６は、抽出した設定情報から設定項目の一覧を生成するとともに、取得したフォーム情報から同様の一覧を生成し、その生成した両者の一覧を比較する（Ｓ５０６）。
【０１２３】
そして、設定情報抽出部２６は、例えば、設定項目の追加や削除等により両者の一覧が異なると判断した場合には（Ｓ５０６：Ｙｅｓ）、設定用紙画像生成部３９は、その取得したフォーム情報に基づいて設定用紙画像データを生成し、（Ｓ５２１）、その設定用紙画像データはプリンタ３Ｃに送信される（Ｓ５４０）。
【０１２４】
また、設定情報抽出部２６が、両者の一覧が同一と判断した場合には（Ｓ５０６：Ｎｏ）、その設定情報は、設定情報取得部３５を介して禁則判定部３８に送られる。次に、禁則判定部３８は、その設定情報に対して、上記ステップＳ５０５で取得したフォーム情報に含まれる無効化情報に基づいて未選択項目の禁則判定処理（Ｓ５０７）と、選択候補間の禁則判定処理（Ｓ５０８）とを順次行い、それらの処理において選択禁止組合せが検出された場合には（Ｓ５０７：Ｙｅｓ、又はＳ５０８：Ｙｅｓ）、設定用紙画像生成部３９は、一部確定済みの設定用紙画像データを生成し（Ｓ５２０）、その設定用紙画像データはプリンタ３Ｃに送信される（Ｓ５４０）。
【０１２５】
一方、選択禁止組合せが存在しなかった場合には（Ｓ５０７：Ｎｏ、且つＳ５０８：Ｎｏ）、ＷＷＷクライアント２９は、その設定情報を設定リクエストとしてプリンタ３Ｃに送信する（Ｓ５１０）。そして、ＷＷＷクライアント２９は、その設定リクエストに対する設定完了レスポンスをプリンタ３Ｃから受信しなかった場合には（Ｓ５１１：Ｎｏ）、エラー終了し（Ｓ５１２）、設定完了レスポンスを受信した場合には（Ｓ５１１：Ｙｅｓ）、正常終了する。
【０１２６】
（３）受信データに基づくプリンタの設定動作
次に、プリンタ３Ｃの設定動作について図２１のフローチャートに従って説明する。プリンタ３Ｃのプリンタ通信部３２は、スキャナ２Ｃからデータを受信すると、制御部３１は、その受信データの種類を判別する（Ｓ６０１）。
【０１２７】
そして、判別した結果、その受信データが設定リクエストである場合には（Ｓ６０１：設定リクエスト）、プリンタ通信部３２は、その設定リクエストをＷＷＷサーバ３００に送り、ＷＷＷサーバ３００は、その設定リクエストに含まれる設定情報を取得する。次に、設定部３６は、その取得された設定情報に基づいてプリンタ３Ｃの設定を行う（Ｓ６１０）。そして、ＷＷＷサーバ３００は、設定部３６による設定が完了した旨を示す設定完了レスポンスをスキャナ２Ｃに返信する（Ｓ６１１）。
【０１２８】
また、その受信データが設定用紙画像データである場合には（Ｓ６０１：設定用紙画像データ）、印刷部３４は、その設定用紙画像データに基づいて設定用紙を印刷する（Ｓ６２０）。
【０１２９】
また、その受信データが読取画像データである場合には（Ｓ６０１：読取画像データ）、印刷部３４は、その読取画像データに基づいてスキャナ２Ｃにより読み取られた原稿と同一内容の原稿を印刷する（Ｓ６３０）。
【０１３０】
図１８（ａ）に例示する設定用紙１４Ｂは、上記ステップＳ５２１において設定項目が追加された場合に印刷される設定用紙である。この設定用紙１４Ｂは、図１７の設定用紙１４Ａと比較して、プリンタ３Ｃに対するオプション機器として追加された「ＲＡＭディスク」が設定項目１４０として追加されている。
【０１３１】
図１８（ｂ）に例示する設定用紙１４Ｃは、上記ステップＳ５２１において設定項目が削除された場合に印刷される設定用紙であり、図１７の設定用紙１４Ａと比較して、例えば、カラー印刷用ユニットの消耗品切れや故障等の原因により、設定項目「カラー印刷」１００Ｄが削除されている。
【０１３２】
なお、上記の例では、記入済み設定用紙を読み取った際に、設定項目の追加又は削除された設定用紙を印刷したが、スキャナ２Ｃが、設定項目の追加又は削除を定期的に監視し、設定項目の一覧に変化が生じた場合に設定用紙を印刷するようにしてもよい。また、設定項目の追加又は削除の原因は、上記の他に、例えば、プリンタ３Ｃのファームウェアのバージョンアップ等が挙げられる。
【０１３３】
また、設定項目の一覧に変化が生じない場合でも、禁則情報２２１に変化が生じたときには、その変化後の禁則情報２２１に応じて、禁止候補マーク１０３の位置等を変更した新たな設定用紙を印刷するようにしてもよい。さらに、設定項目の一覧の変化とともに、禁則情報２２１に変化が生じた場合にも、両者の変化に応じて新たな設定用紙を印刷してもよい。
【０１３４】
［他の実施の形態］
なお、本発明は、上記各実施の形態に限定されず、本発明の趣旨を逸脱しない範囲内で種々な変形が可能である。例えば、上記の各実施の形態では、設定用紙は、プリンタを対象とするものであるが、定められた動作条件に従って動作する装置であれば、例えば、スキャナや複合機等を対象にしてもよい。
【０１３５】
また、上記実施の形態における設定情報抽出部、禁則判定部及び設定用紙画像生成部は、制御部により実行される画像処理プログラムによって実現してもよいし、特定用途向け集積回路（ＡＳＩＣ：Application Specific IＣ）等のハードウェアによって実現してもよい。また、その一部を画像処理プログラムによって実現し、他をハードウェアによって実現してもよい。
【０１３６】
また、上記の画像処理プログラムは、ＣＤ−ＲＯＭ等の記録媒体から装置内の記憶部に読み込んでもよく、インターネット等のネットワークに接続されているサーバ等から装置内の記憶部にダウンロードしてもよい。
【０１３７】
また、上記各実施の形態で印刷される設定用紙には、その設定用紙に対する記入や操作を行ったユーザを識別するユーザ識別情報が含まれていてもよいし、読取動作が行われた設定用紙とその結果印刷された一部確定済み設定用紙との間を関連付ける関連付け情報が含まれていてもよい。
【０１３８】
また、本発明の趣旨を逸脱しない範囲内で上記各実施の形態の構成要素を任意に組み合わせることができる。例えば、上記各実施の形態における画像処理システムは、スキャナ及びプリンタが有する機能やデータ等を画像処理システム全体として備えていればよく、例えば、それらの機能やデータ等が、複合機等の１つの装置に備えられていてもよいし、３つ以上の装置（例えば、さらにサーバ等の管理装置を追加した構成）に分割して備えられていてもよい。
【図面の簡単な説明】
【０１３９】
【図１】図１は、第１の実施の形態に係る画像処理システムの概略構成の一例を示す全体図である。
【図２】図２（ａ）は、候補情報の一例を示す図であり、図２（ｂ）は、禁則情報の一例を示す図である。
【図３】図３（ａ）は、設定用紙の一例を示す図であり、図３（ｂ）は、記入済み設定用紙の一例を示す図であり、図３（ｃ）は、一部確定済み設定用紙の一例を示す図である。
【図４】図４（ａ）は、２つのチェックマークが記入された記入済み設定用紙の一例を示す図であり、図４（ｂ１）は、第１の一部確定済み設定用紙の一例を示す図であり、図４（ｂ２）は、第２の一部確定済み設定用紙の一例を示す図である。
【図５】図５は、第１の実施の形態に係る設定用紙の印刷動作の一例を示すフローチャートである。
【図６】図６は、第１の実施の形態に係る記入済み設定用紙の読取動作の一例を示すフローチャートである。
【図７】図７は、第１の実施の形態に係るプリンタの設定動作の一例を示すフローチャートである。
【図８】図８は、第２の実施の形態に係る画像処理システムの概略構成の一例を示す全体図である。
【図９】図９（ａ）は、記入済み設定用紙の一例を示す図であり、図９（ｂ）は、一部確定済み設定用紙の一例を示す図である。
【図１０】図１０（ａ）は、記入済み設定用紙の一例を示す図であり、図１０（ｂ）は、一部確定済み設定用紙の一例を示す図である。
【図１１Ａ】図１１Ａ（ａ）は、２つのチェックマークが記入された記入済み設定用紙の一例を示す図である。
【図１１Ｂ】図１１Ｂ（ｂ１）は、第１の一部確定済み設定用紙の一例を示す図であり、図１１Ｂ（ｂ２）は、第２の一部確定済み設定用紙の一例を示す図である。
【図１２】図１２は、第２の実施の形態に係る設定用紙の印刷動作の一例を示すフローチャートである。
【図１３】図１３は、第２の実施の形態に係る記入済み設定用紙の読取動作の一例を示すフローチャートである。
【図１４】図１４は、第２の実施の形態に係るプリンタの設定動作の一例を示すフローチャートである。
【図１５】図１５は、第３の実施の形態に係る画像処理システムの概略構成の一例を示す全体図である。
【図１６】図１６は、フォーム情報の一例を示す図である。
【図１７】図１７は、設定用紙の一例を示す図である。
【図１８】図１８（ａ）は、設定項目が追加された設定用紙の一例を示す図であり、図１８（ｂ）は、設定項目が削除された設定用紙の一例を示す図である。
【図１９】図１９は、第３の実施の形態に係る設定用紙の印刷動作の一例を示すフローチャートである。
【図２０】図２０は、第３の実施の形態に係る記入済み設定用紙の読取動作の一例を示すフローチャートである。
【図２１】図２１は、第３の実施の形態に係るプリンタの設定動作の一例を示すフローチャートである。
【符号の説明】
【０１４０】
１Ａ〜１Ｃ…画像処理システム、２Ａ〜２Ｃ…スキャナ、３Ａ〜３Ｃ…プリンタ、４…端末、５…ネットワーク、１０…設定用紙、１１Ａ〜１１Ｅ…記入済み設定用紙、１２Ａ，１２Ｂ−１，１２Ｂ−２，１２Ｃ，１２Ｄ，１２Ｅ−１，１２Ｅ−２…一部確定済み設定用紙、１３…フォーム情報、１４Ａ〜１４Ｃ…設定用紙、２０…操作表示部、２１…制御部、２２…情報記憶部、２３…読取部、２４…画像記憶部、２５…スキャナ通信部、２６…設定情報抽出部、２７…禁則判定部、２８…設定用紙画像生成部、２９…ＷＷＷクライアント、３０…操作表示部、３１…制御部、３２…プリンタ通信部、３３…画像処理部、３４…印刷部、３５…設定情報取得部、３６…設定部、３７…記憶部、３８…禁則判定部、３９…設定用紙画像生成部、１００Ａ〜１００Ｄ…設定項目、１０１Ａ〜１０１Ｄ…設定候補、１０２…チェックボックス、１０３…禁止候補マーク、１１０，１１０Ａ，１１０Ｂ…チェックマーク、１２０，１２０Ａ〜１２０Ｃ…設定値、１２１，１２１Ａ，１２１Ｂ…候補、１４０…設定項目、２２０…候補情報、２２１…禁則情報、２２２Ａ，２２２Ｂ…設定項目、２２３Ａ，２２３Ｂ…候補、２２４…選択禁止組合せ、２２５…選択可能組合せ、３００…ＷＷＷサーバ、３７０…候補情報、３７１…禁則情報
【図１】
2009218824.tif 000003
【図２】
2009218824.tif 000004
【図３】
2009218824.tif 000005
【図４】
2009218824.tif 000006
【図５】
2009218824.tif 000007
【図６】
2009218824.tif 000008
【図７】
2009218824.tif 000009
【図８】
2009218824.tif 000010
【図９】
2009218824.tif 000011
【図１０】
2009218824.tif 000012
【図１１Ａ】
2009218824.tif 000013
【図１１Ｂ】
2009218824.tif 000014
【図１２】
2009218824.tif 000015
【図１３】
2009218824.tif 000016
【図１４】
2009218824.tif 000017
【図１５】
2009218824.tif 000018
【図１６】
2009218824.tif 000019
【図１７】
2009218824.tif 000020
【図１８】
2009218824.tif 000021
【図１９】
2009218824.tif 000022
【図２０】
2009218824.tif 000023
【図２１】
2009218824.tif 000024